(57)【要約】      （修正有）【課題】受信される電圧が変動しても初期化に問題を起こさないワイヤレス充電システムを提供する。【解決手段】ワイヤレス電力受信機ＰＲＵ１０４における電圧規制のための装置は、初期化段階において、規制された電圧を規制された電流でバッテリに選択的に供給する電力スイッチをトグルすることにより、負荷変調シグナリングを生成する。【選択図】図１
2016214060.tif 000002
【特許請求の範囲】
【請求項１】
ワイヤレス電力受信機における電力規制のための装置であって：
規制された電圧を規制された電流でバッテリに選択的に供給する電力スイッチ；及び
前記電力スイッチをトグルすることにより、負荷変調シグナリングを生成する手段；
を有する装置。
【請求項２】
前記規制された電圧は、前記バッテリの特徴に基づいて予め選択されている、請求項1に記載の装置。
【請求項３】
前記負荷変調シグナリングを生成する手段は、バッテリチャージャー回路のコンポーネントである、請求項1又は2に記載の装置。
【請求項４】
前記バッテリチャージャー回路は、整流された電圧を受信し、規制された電圧を生成するように構成されている、請求項3に記載の装置。
【請求項５】
前記負荷変調シグナリングは、ビーコン延長リクエストを含む、請求項1又は2に記載の装置。
【請求項６】
前記ビーコン延長リクエストは、前記ワイヤレス電力受信機と前記ワイヤレス電力受信機に誘導的に結合されるワイヤレス電力送信機との間でワイヤレスハンドシェークを完了させるために時間期間を延長する、請求項5に記載の装置。
【請求項７】
前記負荷変調シグナリングを生成する手段は：
前記バッテリで利用可能な電力レベルを検出し；及び
前記バッテリで利用可能な電力レベルが所定の閾値未満である場合には、ワイヤレスハンドシェークのコンポーネントに関連する電力レールのみを起動する；
ことを特徴とする請求項1又は2に記載の装置。
【請求項８】
前記負荷変調シグナリングを生成する手段は、前記バッテリで利用可能な電力レベルが前記所定の閾値を超える場合には、システムブートのための電力レールを起動する、請求項7に記載の装置。
【請求項９】
前記負荷変調シグナリングを生成する手段は、所定の電力範囲内で前記負荷変調シグナリングを生成する、請求項1又は2に記載の装置。
【請求項１０】
前記装置はコンピューティングデバイスのコンポーネントであり、前記の負荷変調は前記コンピューティングデバイスの初期化段階の間に為される、請求項1又は2に記載の装置。
【請求項１１】
ワイヤレス電力受信機における電力規制のための方法であって：
規制された電圧を規制された電流で電力スイッチからバッテリへ選択的に供給するステップ；及び
前記電力スイッチをトグルすることにより、負荷変調シグナリングを生成するステップ；
を有する方法。
【請求項１２】
前記規制された電圧は、前記バッテリの特徴に基づいて予め選択されている、請求項11に記載の方法。
【請求項１３】
前記負荷変調シグナリングの生成は、バッテリチャージャー回路のコンポーネントにより実行される、請求項11又は12に記載の方法。
【請求項１４】
前記バッテリチャージャー回路により、整流された電圧を受信し、規制された電圧を生成するステップを更に有する請求項13に記載の方法。
【請求項１５】
前記負荷変調シグナリングの生成は、ビーコン延長リクエストを発行することを含む、請求項11又は12に記載の方法。
【請求項１６】
前記ビーコン延長リクエストの発行は、前記ワイヤレス電力受信機と前記ワイヤレス電力受信機に誘導的に結合されるワイヤレス電力送信機との間でワイヤレスハンドシェークを完了させるために時間期間の延長を生成する、請求項15に記載の方法。
【請求項１７】
前記バッテリで利用可能な電力レベルを検出するステップ；及び
前記バッテリで利用可能な電力レベルが所定の閾値未満である場合には、ワイヤレスハンドシェークのコンポーネントに関連する電力レールのみを起動するステップ；
を更に有する請求項11又は12に記載の方法。
【請求項１８】
前記バッテリで利用可能な電力レベルが前記所定の閾値を超える場合には、システムブートのための電力レールを起動するステップを更に有する請求項17に記載の方法。
【請求項１９】
所定の電力範囲内で前記負荷変調シグナリングを生成するステップを更に有する請求項11又は12に記載の方法。
【請求項２０】
前記の負荷変調はコンピューティングデバイスの初期化段階の間に為される、請求項11又は12に記載の方法。
【請求項２１】
ワイヤレス電力受信機における電力規制のためのシステムであって：
整流された電圧を受信し、規制された電圧を生成するバッテリチャージャー回路；
前記規制された電圧を規制された電流でバッテリに選択的に供給する電力スイッチ；及び
前記電力スイッチをトグルすることにより、負荷変調シグナリングを生成する負荷変調論理部；
を有するシステム。
【請求項２２】
前記負荷変調シグナリングは、ビーコン延長リクエストを含む、請求項21に記載のシステム。
【請求項２３】
前記ビーコン延長リクエストは、前記ワイヤレス電力受信機と前記ワイヤレス電力受信機に誘導的に結合されるワイヤレス電力送信機との間でワイヤレスハンドシェークを完了させるために時間期間を延長する、請求項22に記載のシステム。
【請求項２４】
前記負荷変調論理部は：
前記バッテリで利用可能な電力レベルを検出し；
前記バッテリで利用可能な電力レベルが所定の閾値未満である場合には、ワイヤレスハンドシェークのコンポーネントに関連する電力レールのみを起動し；及び
前記バッテリで利用可能な電力レベルが前記所定の閾値を超える場合には、システムブートのための電力レールを起動する；
ことを特徴とする請求項21ないし23のうち何れか一項に記載のシステム。
【請求項２５】
前記負荷変調論理部は、所定の電力範囲内で前記負荷変調シグナリングを生成する、請求項21ないし23のうち何れか一項に記載のシステム。
【請求項２６】
請求項11ないし20のうち何れか一項に記載の方法を装置のコンピュータに実行させるコンピュータプログラム。
【請求項２７】
請求項26に記載のコンピュータプログラムを記憶する記憶媒体。
【発明の詳細な説明】
【技術分野】
【０００１】
本開示は一般にワイヤレス充電のための技術に関連する。具体的には、本開示はワイヤレス電力システムにおける電力の調整に関連する。
【背景技術】
【０００２】
基本的なワイヤレス充電システムは、ワイヤレス電力送信ユニット(PTU)及びワイヤレス電力受信ユニット(PRU)を含む。例えば、PTUは送信(Tx)コイルを含み、PRUは受信(Rx)コイルを含む。磁気共鳴ワイヤレス充電は、TxコイルとRxコイルとの間の磁気結合(磁気カップリング)を活用する。場合によっては、受信される電圧が変動し、ワイヤレス充電システムの初期化に問題を引き起こすことが懸念される。場合によっては、電圧の変動は、ワイヤレス充電の標準仕様に違反してしまうかもしれない。
【図面の簡単な説明】
【０００３】
【図１】PRUに電力を供給するためのPTUのブロック図。PRUは負荷変調に関して限られた範囲内の電力変動を有するように構成される論理部を含む。
【図２】負荷変調シグナリングにおける電力を規制するように構成される論理部を示す。
【図３】電圧及び電流の位相変化を示すグラフである。
【図４】負荷変調において電力規制を行うフローチャートである。
【図５】ワイヤレス充電装置における電力変動を減らすための方法を示すブロック図である。  本開示及び図面を通じて同一の番号は同様なコンポーネント及び特徴を指すために使用される。100番台の番号は図1で最初に登場した特徴を指し；200番台の番号は図2で最初に登場した特徴を指し；以下同様である。
【発明を実施するための形態】
【０００４】
本開示は一般にワイヤレス充電のための技術に関連する。具体的に言えば、ここで説明される技術は、電力スイッチ及び負荷変調論理部を有するワイヤレス電力受信ユニット(PRU)における装置を含む。上述したように、電圧の変動は、ワイヤレス充電の非効率性に加えて、標準仕様に対する違反も生じさせる。より具体的に言えば、受信機(Rx)コイルを有する充電されるデバイスの空間的な配置の自由度は、潜在的に大きく変動する整流受信電圧(rectified  receiver  voltage：Vrect)を招く結果となる。Vrectの変動は、整流される電力(Prect)の大きな変動を招く結果となる。
【０００５】
ここで言及されるような負荷変調論理部は、1つ以上の電子回路コンポーネント、モジュール又は集積回路コンポーネントを含み、これらはパワースイッチのトグルにより負荷変調シグナリング(又は通知)を生成するように構成される。パワースイッチは、1つ以上の電子回路コンポーネント、モジュール又は集積回路コンポーネントを含み、これらは、規制された電圧を規制された電流でバッテリへ選択的に供給するように構成される。場合によっては、パワースイッチは、デバイスのバッテリ及びシステム負荷の間に電圧が選択的に供給される電力経路スイッチであってよい。場合によっては、電圧を選択的に供給することは、バッテリ及びシステム負荷の双方に同時に電圧を供給することを含んでもよい。場合によっては、Vrectは、バッテリチャージャー集積回路(IC)等のようなバッテリ充電回路により受信される。バッテリ充電回路は、Vrectを規制(又は調整)し、電力スイッチへVrectを供給し、電力スイッチは、バッテリ及び/又はシステム負荷へ、規制された電圧を規制された電流で供給するように構成される。従って、規制された電流による規制された電圧に起因して、電力スイッチのトグリング(toggling)は、PRUに誘導的に結合されるワイヤレス電力送信ユニット(PTU)に対する負荷変調シグナリングを生成する。
【０００６】
ここで説明される技術は、負荷変調が抵抗により実行された場合に生じるおそれがある電力損失を減らす。より具体的に言えば、エネルギを事実上消費してしまう抵抗で電力を消耗するのではなく、本願で説明される技術は、バッテリを充電することによりエネルギを抑制(harness)する。
【０００７】
以下において詳細に説明されるように、電力スイッチのトグリングによる負荷変調は、被充電デバイスの初期化段階の間に実行されてよい。例えば、PRUを有するコンピューティングデバイスは、PTUを有する充電パッドに配置される。PRU及びPTUの充電容量に基づいてPTUを適切に構成するために、PRUは、PTUとの無線ハンドシェークに関連するワイヤレスデータをブロードキャストする必要がある。モバイルコンピューティングデバイスのようなコンピューティングデバイスがターンオフされている場合又は切れたバッテリを有する場合、ワイヤレスハンドシェークデータをブロードキャストすることに関連する時間期間は短すぎるかもしれない。従って、ここで開示される技術では、電力スイッチのトグルにより生成される負荷変調が、ワイヤレスハンドシェークを実行することに関連する時間期間の延長を要求及び生成することができる。
【０００８】
場合によっては、ここで説明される技術は、2014年11月5日付けのA4WP(Alliance  For  Wireless  Power)バージョン1.3により提供される仕様のようなワイヤレス充電の標準プロトコルを利用して実行されてもよい。後述するように、ワイヤレスパワー受信(Rx)コイルは電力受信ユニット(PRU)のコンポーネントであってよい一方、ワイヤレスパワー送信(Tx)コイルはパワー送信ユニット(PTU)のコンポーネントであってよい。しかしながら、本願で説明される技術は、適用可能な他の任意のワイヤレス給電標準プロトコルを利用して実現されてよい。
【０００９】
図1は、PRUに電力を供給するPTUのブロック図を示し、PRUは、負荷変調のための限られた範囲内に収まる電力変動を誘導するように構成される論理部を含む。PTU102は、矢印110により示されるように、共振部106及び108の間の磁気誘導カップリングにより、PRU104に結合する。共振部106は本説明ではPTU102のTxコイル106として言及されてよい。共振部108は本説明ではPRU104のRxコイル108として言及されてよい。
【００１０】
図1に示されるように、PRU104は論理部112を含む。論理部112は、本説明では負荷変調論理部112として言及されてよい。負荷変調論理部112は、バッテリチャージャーIC114等のようなバッテリチャージャーとの統合されたコンポーネントとして、PRU104の他の任意のコンポーネントのうちのバッテリチャージャーICの個別コンポーネントとして、或いは、それらの任意の組み合わせとして構成されてもよい。何れにせよ、負荷変調論理部112は、負荷変調の間に、限られた範囲内で、電力スイッチ118を介してバッテリ116へ供給される電力の変動を誘導するように構成される。言い換えれば、負荷変調論理部112は、負荷変調の間に、バッテリIC114から受信され整流され規制される電圧を、限られた範囲内に誘導するように構成される。電圧は、全体としてバッテリIC114及びPRU104の特性に基づいて規制及び事前に決定されるので、負荷変調論理部112は、所定の電流で電力スイッチ118をトグルしてよい。
【００１１】
負荷変調論理部112は、図2に関連して更に詳細に説明されるように、電子回路コンポーネントのような1つ以上のコンポーネントにより構成されてよい。例えば、負荷変調論理部112は、状態マシン、組み合わせ論理部、或いは、それらの任意の組み合わせとして実現されてよい。更に、図3に関連して更に説明されるように、負荷変調は、ワイヤレスハンドシェークのために割り振られる時間期間を延長するために、初期化段階の間に実行されてもよい。更なる詳細は、図2に関連して説明されるだけでなく、本説明、図面及び特許請求の範囲にも関連する。
【００１２】
図1において、Txコイル106及びRxコイル108の間に誘導性カップリング(inductive  coupling)が生じる。整流器120はRxコイル108から交流(AC)の電圧を受信し、整流器120はVrectを直流(DC)で生成するように構成されてよい。図1に示されるように、DC2DCコンバータ122は、バッテリIC114、負荷変調論理部112、電力スイッチ118、バッテリ116、及び、詳細に後述されるシステム負荷に、DC出力を提供する。しかしながら、場合によっては、DC2DCコンバータ122はバッテリチャージャーIC114のコンポーネントとして実現され、これにより、DC2DCコンバータ122が図1に示されるような個別素子として実現された場合に生じる可能性がある1つのバックステージ(buck  stage)及び潜在的な非効率性を排除してもよい。
【００１３】
PRU104は、ワイヤレスハンドシェークデータを有するワイヤレスブロードキャストを開始するように構成されるコントローラ124も含む。ワイヤレスハンドシェークブロードキャストは、ブルートゥース（登録商標）低エネルギ(Bluetooth（登録商標）  Low  Energy：BLE)モジュール126のような無線データ送信コンポーネントにより実行されてもよい。場合によっては、無線データ送信コンポーネントは、コントローラ124、負荷変調回路112、直流対直流(DC2DC)変換器122又はそれらの任意の組み合わせの処理として統合されてもよく、データ送信は負荷変調におけるパターンで示される。
【００１４】
PTU102は、BLEモジュール126と通信するように構成されるBLEモジュール128を含む。PTU102は、電流センサ130、コントローラ132、電力増幅器(パワーアンプ)134、DC2DCコンバータ134、発振器138、及び、整合回路網(マッチングネットワーク)140も含んでよい。電流センサ130は、電流計、電圧計であってもよいし、或いは、PTU102及び他の対象物(例えば、PRU104)の間の誘導結合に起因して生じる負荷変動を検出するように構成される他の任意のセンサであってよい。電流センサ130は、PTU102のコントローラ132に対する負荷変動の通知を提供する。コントローラ132は、DC2DCコンバータ134から直流(DC)を受信し、電流を増幅して発振するように構成される電力増幅器134を起動する。発振器138は、所与の周波数で提供される電力を発振し、整合回路網140は、PTU102の共振部106に提供される増幅される発振を整合させるために使用される。
【００１５】
図1のブロック図は、PTU102及び/又はPRU104が図1に示される全てのコンポーネントを含むべきことを示すようには意図されていない。更に、PTU102及び/又はPRU104は、具体的な実施形態の詳細に依存して、図1に示されていない任意数の追加的なコンポーネントを含んでよい。
【００１６】
図2は、負荷変調シグナリングで電力を規制するように構成される論理部を示す。上述したように、図1のPRU104のようなPRUは、コンピューティングデバイス200を充電するために使用されてよい。PRUは、Rxコイル108、整流器120、バッテリチャージャーIC114、電力スイッチ118、及び、バッテリ116を含む。「202」で示されるように、VrectがバッテリチャージャーIC114に供給される。負荷変調論理部112は、バッテリチャージャーIC114、管理IC(PMIC)204、コンピューティングデバイス200の他の何れかの場所、或いは、それらの任意の組み合わせによる場所に配置されてよい。論理部は、電力スイッチ118のトグルにより電力スイッチ118を制御してもよい。電力スイッチ118のトグル(トグリング)は、ワイヤレスハンドシェーク処理に関連するビーコン期間を拡張するように、負荷変調を生成する。図2に示されるように、負荷変調論理部112は、仮にトグリングが接地接続を介して電力を失う抵抗器(図示せず)で実行されていた場合には生じてしまう電力損失なしに、電力スイッチ118をトグルする。更に、電力スイッチ118をトグリングすることは、電力スイッチ118のような電力スイッチを含む電力経路系で追加的なコンポーネントを使うことなく、実行される。電力経路系は、一般に、バッテリ206へ規制された電圧を(VBAT)及びPMIC204によりシステム負荷電圧208(VSYS)を提供するための電力スイッチ118を含む。
【００１７】
更に、バッテリチャージャーIC114における電圧規制の前にVrecに負荷変調を実行しようとするのではなく、ここで説明される技術は、電力スイッチ118における電圧及び電流の双方が規制され且つ既知であるので、負荷変調が、所定の範囲内で実行されることを可能にする。例えば、4AWPにおいて、ワイヤレスハンドシェーク完了に関連する時間期間を拡張するための負荷変調は、0.5ワット(W)及び1.1Wの間にあるように要求されるかもしれない。電力の規制を行うことにより、従って所定の範囲内にあることが既知になると、以下の数式1に示されるように、何らかの所定の電力範囲内で負荷変調が実行されることを可能にする：
Preg=Ireg×Vreg        Eq.1
数式1(Eq.1)において、Pregは規制された電力であり、Iregは電力スイッチ118から供給される規制された電流であり、VregはバッテリチャージャーIC114から供給される規制された電圧である。言い換えれば、Vrectは変動し、所定の電圧及び所定の電流を電力スイッチ118に供給させ、負荷変調は限られた範囲内でなされる。更に、場合によっては、0.5Wないし1.1Wの範囲が、Vrectノードで実現され、バッテリチャージャーIC114のエネルギ伝送効率は、適切な電力レベルを取り出すように説明される。
【００１８】
図3は電圧及び電流の位相変化を示すグラフである。図1に関して説明されるように、負荷変調は初期化段階でなされてもよい。初期化段階は、場合によっては、充電されるデバイスが、少ないバッテリを有する場合、完全に放電したバッテリを有する場合、充電されるデバイスがターンオフされる等の場合になされてもよい。初期化段階は、上述したように、ワイヤレスハンドシェークを完了させることに関連付けて期間を延長するために使用されてよい。時間期間の延長は、例えば、図1及び図2のバッテリ116のようなバッテリが閾値未満である場合、或いは、ワイヤレスハンドシェークを開始するには十分な電力を有していない等の場合に特に有利である。
【００１９】
第1フェーズは、左側から右側へ進み破線302で終了しており、給電されるべきデバイスが、図1のPTU102のようなPTUを有する給電マット上に置かれると、Vrect及び整流電流(Irect)が上昇する。第2フェーズは破線302及び破線304の間に示され、図1及び図2のPMIC204及びチャージャーIC114がターンオンするので、Vrect及びIrectが安定化する。バッテリ116が枯渇又は所定レベル未満まで放電している場合、バッテリチャージャーIC114は、PMIC204に電力を供給するためにPMIC204より先に起動してもよい。第3フェーズは破線304及び破線306の間に示され、図1及び図2の電力スイッチ118のような電力スイッチをターンオン及びオフすることにより、スイッチを起動及びトグルすることを、PMIC204は、バッテリIC114のようなバッテリICに指図する。場合によっては、フェーズ3におけるトグリングは100ヘルツ周波数でなされてもよい。場合によっては、バッテリチャージャーIC114は、PTU102がプラグインされ及びそのトグリングを行う電力スイッチ118により負荷変調を完了したこと、を検出するように構成されてもよい。電力スイッチ118がオンである場合、IregはPMIC204及びバッテリ116に流れ、Irectは上昇し、VBATも上昇する。電力スイッチ118がオフである場合、電流はPMIC204に対してしか流れず、Prectは公称システム負荷(例えば、200ミリワット(mW))未満になるかもしれない。場合によっては、PMIC204及びバッテリチャージャーIC114は、(整流器、DC2DC変換器などのような上流側のコンポーネントを除いて)他は無いそれらのみのコンポーネントであってもよく、これにより電圧を知ることが可能になり、従って限られた電力範囲を利用でき、他のコンポーネントが初期化されるならば存在するかもしれない大きな可変電圧を使用せずに済む。
【００２０】
第4フェーズは破線306及び308の間に示され、BLEモジュール126のようなワイヤレスデータ送信デバイスが初期化される。第4フェーズの間に、PRU104はBLEハンドシェークによりPTU102に登録し、PTU102は、充電対象のデバイスに、より多くの電力を流す許可を与える。第5フェーズは破線308と少なくとも破線310までの間継続するように示され、PMIC204は、電流に関する何らかの制限をディセーブルするようにバッテリチャージャーIC114を構成し、バッテリを充電するように電力スイッチ118をオープンにし、図3に示されるようにVBATが上り始める。
【００２１】
図4は負荷変調の間の電源規制を示すフローチャートである。ブロック400において、PRU104のようなPRCを有する充電対象のデバイスが、PTU102のようなPTUを有する充電器の上又は近辺に配置されると、Vrectが上昇する。ブロック404において、チャージャーICは、電力を所定の閾値に制限する。402における電力の制限は、ワイヤレスハンドシェーク処理のためのビーコン延長リクエストに関連する所定の電力範囲のような所定の電力範囲内で、負荷変調が実行されることを可能にする。ブロック404において、図2のPMIC204のようなPMICが起動される。ブロック406において、図1及び図2の電力スイッチ112のような電力スイッチは、ビーコン延長リクエストに関連する負荷変調シグナリングを実行するように、トグルされる。ブロック408において、VBATは電圧閾値(Vthresh)と比較される。VBATがVthreshより大きい場合、PMIC204は、ブロック410において、PRU102のコンポーネントに関連する全ての電力レールをターンオンし、ブロック412において、BLEモジュール126及びシステムをブートする(又は立ち上げる)。ブロック412において、BLEモジュール126だけでなくシステムの双方をブートすることは、414においてワイヤレスハンドシェークを開始し、402において制限された電力は、ブロック420において、通常の電力消費に関する高い方の電力制限まで上昇させられ、プロセス400は422において終了する。しかしながら、408においてVBATがVthreshより大きくない場合、PMICは全ての電力レールをパワーオンにしない。そうではなく、PMICは、ブロック424に示されるように、BLEモジュール126に関するレールのみをターンオンしてもよい。ブロック426において、BLEモジュール126はブートされ、ブロック428においてワイヤレスハンドシェークがなされてもよい。ブロック430において、402で制限された電力は、BLEモジュール126以外の電力レールに関連する高い方の電力制限まで上昇させられ、PMICは432において追加的な電力レールをターンオンし、434においてシステムをブートしてもよい。
【００２２】
図5は、ワイヤレス充電装置における電力変動を減らす方法を示すブロック図である。502において、本方法500は規制された電圧を規制された電流で電力スイッチからバッテリへ選択的に供給し、ブロック504において、本方法は電力スイッチをトグリングすることにより負荷変調シグナリングを生成することを含む。
【００２３】
場合によっては、規制される電圧は、バッテリの特徴に基づいて予め決められてもよい。しかしながら、規制される電圧は、ロングビーコン延長リクエストの間の負荷変調の電力範囲を示すA4WP規格のような標準仕様ガイドラインの特色に基づいて予め決定されてもよい。負荷変調シグナリングを生成することは、場合によっては、バッテリチャージャー回路のコンポーネントにより実行される。更に、場合によっては、バックアップバッテリ回路のエネルギは、負荷変調を実行するために使用されてよい。バックアップバッテリは、図1のバッテリより比較的小さなバッテリであってもよく、及び、バッテリ116が利用可能でない場合、放電した場合、所定の閾値未満である場合に、クロック信号を維持するように構成されてもよい。バッテリチャージャー回路は、バックアップバッテリ回路のバックアップバッテリに供給される電力を規制するように構成されるバックアップバッテリチャージャーICを含んでもよい。負荷変調シグナリングを生成することは、場合によっては、PMICの論理コンポーネントにより実行される。更に別の例では、負荷変調シグナリングを生成することは、PRUのコンポーネントの任意の組み合わせにより実行されてよい。
【００２４】
本方法は、整流された電圧を受信し、バッテリチャージャー回路により、規制された電圧を生成することを含む。更に、上述したように、504における負荷変調シグナリングの生成は、ビーコン延長リクエストを発行することを含む。この状況では、ビーコン延長リクエストは、ワイヤレス電力受信機と、ワイヤレス電力受信機に誘導的に結合されるワイヤレス電力送信機との間でワイヤレスハンドシェークを完了させるように、時間期間を延長する。
【００２５】
本方法500は、バッテリで利用可能な電力レベルを検出することを含んでもよい。その場合、方法500は、バッテリで利用可能な電力レベルが所定の閾値未満である場合に、ワイヤレスハンドシェークのコンポーネントに関連する電力レールのみを起動することを含んでもよい。更に、方法500は、バッテリで利用可能な電力レベルが所定の閾値を上回る場合、システムのブートのための電力レールを起動することを更に含んでもよい。
【００２６】
場合によっては、本方法500は、所定の電力範囲内で負荷変調シグナリングを生成することを含んでもよい。場合によっては、負荷変調は、図1及び図3に関して上述したようにコンピューティングデバイスの初期化段階でなされる。
【００２７】
具体例1は、ワイヤレス電力受信機における電力規制のための装置である。この例では、ワイヤレス充電デバイスは、規制された電圧を規制された電流でバッテリに選択的に供給する電力スイッチと、前記電力スイッチをトグルすることにより、負荷変調シグナリングを生成する負荷変調論理部とを含む。
【００２８】
具体例2は具体例1の装置を含む。この例では、前記規制された電圧は、前記バッテリの特徴に基づいて予め選択されている。
【００２９】
具体例3は具体例1-2の任意の組み合わせの装置を含む。この例では、前記負荷変調論理部は、バッテリチャージャー回路のコンポーネントである。
【００３０】
具体例4は具体例1-3の任意の組み合わせの装置を含む。この例では、前記バッテリチャージャー回路は、整流された電圧を受信し、規制された電圧を生成するように構成されている。
【００３１】
具体例5は具体例1-4の任意の組み合わせの装置を含む。この例では、前記負荷変調シグナリングは、ビーコン延長リクエストを含んでよい。
【００３２】
具体例6は具体例1-5の任意の組み合わせの装置を含む。この例では、前記ビーコン延長リクエストは、前記ワイヤレス電力受信機と前記ワイヤレス電力受信機に誘導的に結合されるワイヤレス電力送信機との間でワイヤレスハンドシェークを完了させるための時間期間を延長するためのものである。
【００３３】
具体例7は具体例1-6の任意の組み合わせの装置を含む。この例では、前記負荷変調論理部は：前記バッテリで利用可能な電力レベルを検出し；及び、前記バッテリで利用可能な電力レベルが所定の閾値未満である場合には、ワイヤレスハンドシェークのコンポーネントに関連する電力レールのみを起動する。
【００３４】
具体例8は具体例1-7の任意の組み合わせの装置を含む。この例では、前記負荷変調論理部は、前記バッテリで利用可能な電力レベルが前記所定の閾値を超える場合には、システムブートのための電力レールを起動する。
【００３５】
具体例9は具体例1-8の任意の組み合わせの装置を含む。この例では、前記負荷変調論理部は、所定の電力範囲内で前記負荷変調シグナリングを生成する。
【００３６】
具体例10は具体例1-9の任意の組み合わせの装置を含む。この例では、前記装置はコンピューティングデバイスのコンポーネントであり、前記負荷変調は前記コンピューティングデバイスの初期化段階の間に為される。
【００３７】
具体例11はワイヤレス電力受信機における電力規制のための方法である。この具体例では、ワイヤレス充電デバイスは、規制された電圧を規制された電流で電力スイッチからバッテリへ選択的に供給するステップ；及び、前記電力スイッチをトグルすることにより、負荷変調シグナリングを生成するステップ；を含む。
【００３８】
具体例12は具体例11の方法を含む。この例では、前記規制された電圧は、前記バッテリの特徴に基づいて予め選択されている。
【００３９】
具体例13は具体例11-12の任意の組み合わせの方法を含む。この例では、前記負荷変調シグナリングの生成は、バッテリチャージャー回路のコンポーネントにより実行される。
【００４０】
具体例14は具体例11-13の任意の組み合わせの方法を含む。この例は、前記バッテリチャージャー回路により、整流された電圧を受信し、規制された電圧を生成するステップを含む。
【００４１】
具体例15は具体例11-14の任意の組み合わせの方法を含む。この例では、前記負荷変調シグナリングを生成することは、ビーコン延長リクエストを発行することを含む。
【００４２】
具体例16は具体例11-15の任意の組み合わせの方法を含む。この例では、前記ビーコン延長リクエストの発行は、前記ワイヤレス電力受信機と前記ワイヤレス電力受信機に誘導的に結合されるワイヤレス電力送信機との間でワイヤレスハンドシェークを完了させるための時間期間の延長を生成する。
【００４３】
具体例17は具体例11-16の任意の組み合わせの方法を含む。この例は、前記バッテリで利用可能な電力レベルを検出するステップ；及び、前記バッテリで利用可能な電力レベルが所定の閾値未満である場合には、ワイヤレスハンドシェークのコンポーネントに関連する電力レールのみを起動するステップ；含む。
【００４４】
具体例18は具体例11-17の任意の組み合わせの方法を含む。この例は、前記バッテリで利用可能な電力レベルが前記所定の閾値を超える場合には、システムブートのための電力レールを起動するステップを含む。
【００４５】
具体例19は具体例11-18の任意の組み合わせの方法を含む。この例は、所定の電力範囲内で前記負荷変調シグナリングを生成するステップを含む。
【００４６】
具体例20は具体例11-19の任意の組み合わせの方法を含む。この例では、前記負荷変調はコンピューティングデバイスの初期化段階の間に為される。
【００４７】
具体例21はワイヤレス電力受信機における電力規制のためのシステムである。この例では、ワイヤレス充電デバイスは、整流された電圧を受信し、規制された電圧を生成するバッテリチャージャー回路と、規制された電圧を規制された電流でバッテリに選択的に供給する電力スイッチと、前記電力スイッチをトグルすることにより、負荷変調シグナリングを生成する負荷変調論理部とを含む。
【００４８】
具体例22は具体例21のシステムを含む。この例では、前記規制された電圧は、前記バッテリの特徴に基づいて予め選択されている。
【００４９】
具体例23は具体例21-22の任意の組み合わせのシステムを含む。この例では、前記負荷変調論理部は、バッテリチャージャー回路のコンポーネントである。
【００５０】
具体例24は具体例21-23の任意の組み合わせのシステムを含む。この例では、整流された電流は、前記バッテリチャージャー回路に提供される前では規制されていない。
【００５１】
具体例25は具体例21-24の任意の組み合わせのシステムを含む。この例では、前記負荷変調シグナリングは、ビーコン延長リクエストを含んでよい。
【００５２】
具体例26は具体例21-25の任意の組み合わせのシステムを含む。この例では、前記ビーコン延長リクエストは、前記ワイヤレス電力受信機と前記ワイヤレス電力受信機に誘導的に結合されるワイヤレス電力送信機との間でワイヤレスハンドシェークを完了させるための時間期間を延長するためのものである。
【００５３】
具体例27は具体例21-26の任意の組み合わせのシステムを含む。この例では、前記負荷変調論理部は：前記バッテリで利用可能な電力レベルを検出し；及び、前記バッテリで利用可能な電力レベルが所定の閾値未満である場合には、ワイヤレスハンドシェークのコンポーネントに関連する電力レールのみを起動する。
【００５４】
具体例28は具体例21-27の任意の組み合わせのシステムを含む。この例では、前記負荷変調論理部は、前記バッテリで利用可能な電力レベルが前記所定の閾値を超える場合には、システムブートのための電力レールを起動する。
【００５５】
具体例29は具体例21-28の任意の組み合わせのシステムを含む。この例では、前記負荷変調論理部は、所定の電力範囲内で前記負荷変調シグナリングを生成する。
【００５６】
具体例30は具体例21-29の任意の組み合わせのシステムを含む。この例では、前記システムはコンピューティングデバイスのコンポーネントであり、前記負荷変調は前記コンピューティングデバイスの初期化段階の間に為される。
【００５７】
具体例31は、ワイヤレス電力受信機における電力規制のための装置である。この例では、ワイヤレス充電デバイスは、規制された電圧を規制された電流でバッテリに選択的に供給する電力スイッチと、前記電力スイッチをトグルすることにより、負荷変調シグナリングを生成する手段とを含む。
【００５８】
具体例32は具体例31の装置を含む。この例では、前記規制された電圧は、前記バッテリの特徴に基づいて予め選択されている。
【００５９】
具体例33は具体例31-32の任意の組み合わせの装置を含む。この例では、前記負荷変調シグナリングを生成する手段は、バッテリチャージャー回路のコンポーネントである。
【００６０】
具体例34は具体例31-33の任意の組み合わせの装置を含む。この例では、前記バッテリチャージャー回路は、整流された電圧を受信し、規制された電圧を生成するように構成されている。
【００６１】
具体例35は具体例31-34の任意の組み合わせの装置を含む。この例では、前記負荷変調シグナリングは、ビーコン延長リクエストを含んでよい。
【００６２】
具体例36は具体例31-35の任意の組み合わせの装置を含む。この例では、前記ビーコン延長リクエストは、前記ワイヤレス電力受信機と前記ワイヤレス電力受信機に誘導的に結合されるワイヤレス電力送信機との間でワイヤレスハンドシェークを完了させるための時間期間を延長するためのものである。
【００６３】
具体例37は具体例31-36の任意の組み合わせの装置を含む。この例では、前記負荷変調シグナリングを生成する手段は：前記バッテリで利用可能な電力レベルを検出し；及び、前記バッテリで利用可能な電力レベルが所定の閾値未満である場合には、ワイヤレスハンドシェークのコンポーネントに関連する電力レールのみを起動する。
【００６４】
具体例38は具体例31-37の任意の組み合わせの装置を含む。この例では、前記負荷変調シグナリングを生成する手段は、前記バッテリで利用可能な電力レベルが前記所定の閾値を超える場合には、システムブートのための電力レールを起動する。
【００６５】
具体例39は具体例31-38の任意の組み合わせの装置を含む。この例では、前記負荷変調シグナリングを生成する手段は、所定の電力範囲内で前記負荷変調シグナリングを生成する。
【００６６】
具体例40は具体例31-39の任意の組み合わせの装置を含む。この例では、前記装置はコンピューティングデバイスのコンポーネントであり、前記負荷変調は前記コンピューティングデバイスの初期化段階の間に為される。
【００６７】
具体例41はワイヤレス電力受信機における電力規制のためのシステムである。この例では、ワイヤレス充電デバイスは、整流された電圧を受信し、規制された電圧を生成するバッテリチャージャー回路と、規制された電圧を規制された電流でバッテリに選択的に供給する電力スイッチと、前記電力スイッチをトグルすることにより、負荷変調シグナリングを生成する手段とを含む。
【００６８】
具体例42は具体例41のシステムを含む。この例では、前記規制された電圧は、前記バッテリの特徴に基づいて予め選択されている。
【００６９】
具体例43は具体例41-42の任意の組み合わせのシステムを含む。この例では、前記負荷変調シグナリングを生成する手段は、バッテリチャージャー回路のコンポーネントである。
【００７０】
具体例44は具体例41-43の任意の組み合わせのシステムを含む。この例では、整流された電流は、前記バッテリチャージャー回路に提供される前では規制されていない。
【００７１】
具体例45は具体例41-44の任意の組み合わせのシステムを含む。この例では、前記負荷変調シグナリングは、ビーコン延長リクエストを含んでよい。
【００７２】
具体例46は具体例41-45の任意の組み合わせのシステムを含む。この例では、前記ビーコン延長リクエストは、前記ワイヤレス電力受信機と前記ワイヤレス電力受信機に誘導的に結合されるワイヤレス電力送信機との間でワイヤレスハンドシェークを完了させるための時間期間を延長するためのものである。
【００７３】
具体例47は具体例41-46の任意の組み合わせのシステムを含む。この例では、前記負荷変調シグナリングを生成する手段は：前記バッテリで利用可能な電力レベルを検出し；及び、前記バッテリで利用可能な電力レベルが所定の閾値未満である場合には、ワイヤレスハンドシェークのコンポーネントに関連する電力レールのみを起動する。
【００７４】
具体例48は具体例41-47の任意の組み合わせのシステムを含む。この例では、前記負荷変調シグナリングを生成する手段は、前記バッテリで利用可能な電力レベルが前記所定の閾値を超える場合には、システムブートのための電力レールを起動する。
【００７５】
具体例49は具体例41-48の任意の組み合わせのシステムを含む。この例では、前記負荷変調シグナリングを生成する手段は、所定の電力範囲内で前記負荷変調シグナリングを生成する。
【００７６】
具体例50は具体例41-49の任意の組み合わせのシステムを含む。この例では、前記システムはコンピューティングデバイスのコンポーネントであり、前記負荷変調は前記コンピューティングデバイスの初期化段階の間に為される。
【００７７】
ここで記述及び説明されるコンポーネント、特徴、構造、特色などの全てが特定の形態又は複数の形態に必ずしも含まれなくてよい。本明細書が、コンポーネント、特徴、構造又は特色を述べている場合、「であってもよい(may)」、「かもしれない(might)」、「できる(can)」又は「可能であった(could)」等のニュアンスが含まれており、例えば、特定のコンポーネント、特徴、構造又は特色は、包含されることを要しない。明細書又は請求項が「或る」又は「ある」要素を指す場合、唯一の要素のみが存在することを意味してはいない。明細書又は請求項が「追加的な」要素を指す場合、1つより多い数の追加的な要素が存在することを排除してはいない。
【００７８】
特定の実現手段に関連して何らかの形態が記述される場合、その形態に従って他の実現手段も可能であることに留意すべきである。更に、ここで説明される及び/又は図面に示される回路要素又は他の特徴の配置及び/又は順序は、説明及び図示される特定の仕方で並べられることを要しない。何らかの形態に従って、他の多くの配置が可能である。
【００７９】
図面に示される各システムにおいて、あるケースにおける要素は、それぞれ、同じ参照番号又は異なる参照場号を有し、表現される要素が異なる及び/又は類似し得ることを示唆する。しかしながら、要素は、様々な実現手段を有し、ここで説明又は図示されるシステムの全部又は一部とともに機能する程度に十分に柔軟であってよい。図面に示される様々な要素は、同一又は相違していてよい。何れが第1要素と言及され、何れが第2要素と言及されるかは、任意である。
【００８０】
上記の例における具体的事項は、1つ以上の形態の何処で使用されてもよいことが、理解されるべきである。例えば、上記のコンピューティングデバイスの選択的な全ての特徴は、ここで説明される方法又はコンピュータ読み取り可能な媒体の何れに関連して実現されてもよい。更に、フローチャート及び/又は状態図が実施形態を説明するために使用されるかもしれないが、本技術はそれらの図や対応する記述には限定されない。例えば、フローは、それぞれ図示されたボックス又は状態を経由して又は説明又は記述されたものと厳密に同じ順序で進行することは必須でない。
【００８１】
本技術はここで提示された具体的な詳細事項に限定されない。実際、本開示による恩恵を受ける当業者は、上記の記述及び図面から他の多くの変形例が本技術の範囲内でなされてよいことを、認めるであろう。従って、本技術の範囲を規定するものは特許請求の範囲(任意の補正を含む)である。
【図１】
2016214060.tif 000003
【図２】
2016214060.tif 000004
【図３】
2016214060.tif 000005
【図４】
2016214060.tif 000006
【図５】
2016214060.tif 000007
【外国語明細書】
2016214060000001.pdf